(57)【要約】【課題】複数個の鋼管杭による基礎杭における問題点を解消すべく、連結部についての溶接作業を不要とすること、さらに、基礎資材として汎用の耐久ブロックを使用することを課題とする。【解決手段】  中心貫通孔を有する耐久ブロックを積重ね、貫通孔に鉄筋を挿入し、ブロック基礎杭を構成するとともに、耐久ブロックと建築物基礎底との間に油圧ジャッキを設置し、油圧ジャッキを操作することで家屋の自重の反力を利用して耐久ブロック圧入して１段目のブロックの圧入工程を完成し、１段目のブロックの上面に２段目のブロックを乗せ、１段目のブロックの貫通こうと２段目のブロックの貫通孔とに鉄筋を装入して、１段目のブロックと２段目のブロックとを相互に連結したのち、２段目のブロックの圧入工程に進み、以後、この工程の継続で所定荷重のブロック杭を完成する段数に達するまで、前記工程を継続して、所定荷重のブロック杭を完成すること  を特徴とする、基礎修復のための耐久ブロック圧入基礎施工法。【選択図】図１
2019163679.tif 000002
【特許請求の範囲】
【請求項１】
中心貫通孔を有する耐久ブロックを積重ね、貫通孔に鉄筋を挿入し、ブロック基礎杭を構成するとともに、
耐久ブロックと建築物基礎底との間に油圧ジャッキを設置し、
油圧ジャッキを操作することで家屋の自重の反力を利用して耐久ブロック圧入して１段目のブロックの圧入工程を完成し、
１段目のブロックの上面に２段目のブロックを乗せ、１段目のブロックの貫通こうと２段目のブロックの貫通孔とに鉄筋を装入して、１段目のブロックと２段目のブロックとを相互に連結したのち、
２段目のブロックの圧入工程に進み、
以後、この工程の継続で所定荷重のブロック杭を完成する段数に達するまで、前記工程を継続して、所定荷重のブロック杭を完成すること
を特徴とする、基礎修復のための耐久ブロック圧入基礎施工法。
【請求項２】
ブロック杭の周囲隙間にセメントミルクを注入して、ブロック杭の周囲をセメントミルクで包囲したことを特徴とする、請求項１に記載する基礎修復のための耐久ブロック圧入基礎施工法。
【発明の詳細な説明】
【技術分野】
【０００１】  本発明は、傾斜家屋の基礎の修復にあたり、ジャッキ使用による圧入工法による家屋基礎施工法に関する。より詳しくは、耐久ブロックのジャッキアップ圧入による家屋基礎としての、ブロック基礎杭の施工法に関する。
【背景技術】
【０００２】  傾斜家屋の基礎の修復にあたり、基礎と家屋との間に油圧ジャッキを介在させ、家屋荷重を利用して、基礎材を沈下きせるところの、ジャッキアップ家屋基礎施工法か存在する。たとえばジャッキ使用により鋼管杭のジャッキアップ圧入工法で、複数本の鋼管杭を順次圧入するとともに、上下の鋼管杭を連結することで、１本の基礎杭を形成している。
【特許文献】
【０００３】
【特許文献１】特開２００７−１６９９８８号
【発明の開示】
【発明が解決しようとする課題】
【０００４】  特許文献１（発明の名称：支持杭の圧入法及び載荷試験方法）は、上下の鋼管杭を連結して１本の基礎杭Ａ‘を形成するにあたり、
図１０に示すごとく、鋼管杭１００の連結部に単管１０１を挿入し、単管１０１の上端と鋼管杭１００の内面とを溶接Ｗすることで、上下の鋼管杭を一体化している。
すなわち、鋼管杭の内面側において溶接作業を必要とする。鋼管杭の内面側での溶接作業は、全周面にわたっての完全な溶接は困難であるとともに、溶接状態の完全な確認は困難である。
上記の問題解決すべく，鋼管杭の連結部の外側に単管を挿入し、単管の上端と鋼管杭の外面とを溶接することで、上下の鋼管杭を一体化することか考えられるが、鋼管杭の連結部の一体化が不十分となり、障害物の存在で圧入時に、連結部が屈曲して、基礎杭の直進性が悪化する問題点かある。【０００５】  本発明は、鋼管杭の上記問題点を解消すべく、連結部についての溶接作業を不要とすることを課題とする。
さらに、基礎資材として汎用の耐久ブロックを使用することを課題とする。【０００６】  本願発明は、
中心貫通孔を有する耐久ブロックを積重ね、貫通孔に鉄筋を挿入し、ブロック基礎杭を構成するとともに、
耐久ブロックと建築物基礎底との間に油圧ジャッキを設置し、
油圧ジャッキを操作することで家屋の自重の反力を利用して耐久ブロック圧入して１段目のブロックの圧入工程を完成し、
１段目のブロックの上面に２段目のブロックを乗せ、１段目のブロックの貫通こうと２段目のブロックの貫通孔とに鉄筋を装入して、１段目のブロックと２段目のブロックとを相互に連結したのち、
２段目のブロックの圧入工程に進み、
以後、この工程の継続で所定荷重のブロック杭を完成する段数に達するまで、前記工程を継続して、所定荷重のブロック杭を完成すること
を特徴とする、基礎修復のための耐久ブロック圧入基礎施工法を提供する。
【発明の効果】
【０００７】  本願発明は、傾斜家屋の基礎の修復にあたり、ジャッキ使用による圧入工法による家屋基礎施工法にあたり、溶接作業を不要とするとともに、基礎資材として汎用の耐久ブロックを使用することで、必要とする資材の調達・準備を容易にするとともに、施工コストを低減する効果を有する。
【図面の簡単な説明】
【０００８】
【図１】本発明の耐久ブロック基礎杭施工法の施工例を示す略図。
【図２】耐久ブロックの斜視図。
【図３】本発明の耐久ブロック基礎杭施工法の作業工程を示す略図。
【図４】本発明による耐久ブロック圧入施工手順を示し、堀削作業の説明図。
【図５】同じく、所定荷重のブロック杭の説明図。
【図６】同じく、基礎修復のためのジャッキアップの作業完了を示す説明図。
【図７】同じく、セメントミルクを注入を示す説明図。
【図８】同じく、スペーサ設置を示す説明図。
【図９】同じく、埋め戻し、間詰注入を示す説明図。
【図１０】公知の鋼管杭施工法の施工例を示す略図。
【発明の好適な実施の形態】
【０００９】  本発明の耐久ブロック基礎杭は、図１を参照して、中心貫通孔（鉄筋挿入穴）１１を有する耐久ブロック１を積重ね、貫通孔１１に鉄筋２を挿入して、上下に隣接する耐久ブロックを相互に連結して一体化し、所定荷重のブロック杭を完成するための段数の、耐久ブロックを上下方向に一本に形成することで、ブロック基礎杭Ａを完成する。
なお、実施例においては、耐久ブロック１は、図２を参照して、２００ｍｍ  Ｘ  ２００ｍｍの正方形の平面で、高さ１５０ｍｍで  表面に充てん溝１２を形成した。
鉄筋２について、１６ｍｍΦの異形鉄筋で長さは１５０ｍｍを標準とした。
【００１０】  次に、第３図を参照して、本発明の耐久ブロック基礎杭Ａの完成までの、作業工程を説明する。
イ．作業空間３を形成する。
ロ．作業空間３に１段目の耐久ブロック１を設置する。
ハ．１段目の耐久ブロック１と建築物基礎９の底面との間に油圧ジャッキ４を設置する。
二．油圧ジャッキ４を操作することで家屋の自重の反力を利用して耐久ブロック圧入する。１段目のブロックの貫通孔１１に、鉄筋２を挿入する。鉄筋２の下半分をブロック下方へ露出させる。――１段目のブロックの圧入工程を完成――
ホ．二段目の油圧ジャッキを設置し、鉄筋２を貫通孔１１に挿入、充てん溝１２にセメントを充てんして、「１段目のブロック１と２段目のブロック１とを連結する。
ヘ．以後、この工程の継続で、所定荷重のブロック杭Ａとする段数の耐久ブロックの圧入を完成する。
ブロック杭の周囲隙間、および重点溝１２にセメントミルクを注入して、ブロック杭の周囲をセメントミルクで包囲するとともに、複数の耐久ブロック１と複数の鉄筋とを相互に固定して一体化して所定荷重のブロック杭Ａを完成する。
【００１１】  つぎに、図４ないし図９を参照して、本願発明の耐久ブロック圧入式基礎杭施工法を適用した基礎修復に関して、施工手順例を説明する。
ａ．堀削（図４）
家屋をジャッキアップするにあたり、耐久ブロック圧入、およひ、その作業スペースを確保するため、家屋基礎直下の地面を方形状に堀削して、作業空間３を確保する。
【００１２】  ｂ．耐久ブロック圧入（本願発明の実施による耐久ブロック杭の形成）（図５）
耐久ブロック上部に油圧ジャッキ４を設置し、油圧ジャッキ４の頭部を建物１０建物基礎の底面に作用させる。
家屋の自重の反力を利用して耐久ブロックを油圧ジャッキにて圧入する。
１段目の耐久ブロックの圧入が完成する。
つぎの耐久ブロック１を取付ける
貫通孔１０に連結用鉄筋２を差し込み、上下の耐久ブロックを相互に連結する。
以後、耐久ブロックの積層による耐久ブロック杭が支持盤層２０に達するまで、この行程を継続する。
【００１３】  ｃ．ジャッキアップ（図６）
耐久ブロック圧入の完了後、全ジャッキアップ作業個所に油圧ジャッキ４ａを設置し、家屋傾斜の修正を開始する。
基礎コンクリート、外壁などの異常、および家屋レベルの変動を常時監視しながら、少しずつジャッキアップしていき、所定レベルまで、家屋の沈下を修正する。
【００１４】  ｄ．セメントミルク充填（図７）
所定レベルに家屋傾斜修正が完了したのち、耐久ブロック杭と耐久ブロックの周辺地盤との間にできた隙間にセメントミルク５を充填する。
積層した耐久ブロックは互いに連結されて一体化して耐久ブロック杭Ａが完成する。
【００１５】  ｅ．埋め戻し、間詰注入準備工（図８）
耐久ブロック杭Ａの上面と建物基礎１０ａの底面との間に、油圧ジャッキに代えてスペーサ６を設置する。
堀削した個所まで、埋め戻して復旧する。
トンネル部３ａには埋め戻し前に間詰め注入するための注入管８を設置する。（図８）
【００１６】  ｆ．間詰注入（図９）
家屋修正で浮き上がった基礎と地面との隙間にセメント系注入剤による間詰注入を実施し、基礎と地面との間にセメント系注入材をゆき渡らせる。（図９）
以上により、施工完了となる。
【産業上の利用可能性】
【００１７】  本願発明は、施工資材として、汎用の耐久ブロックと、鉄筋を使用するものであるから、施工準備を容易とするとともに、施工コストの低減を図る効果を有するものであることで、建物基礎修復に関する産業の発展に寄与するものである。
【符号の説明】
【００１８】  Ａ    ブロック基礎杭
１    耐久ブロック
２    鉄筋
４、  油圧ジャッキ
１１  中心貫通孔（鉄筋挿入穴）
１２  充てん溝
【図１】
2019163679.tif 000003
【図２】
2019163679.tif 000004
【図３】
2019163679.tif 000005
【図４】
2019163679.tif 000006
【図５】
2019163679.tif 000007
【図６】
2019163679.tif 000008
【図７】
2019163679.tif 000009
【図８】
2019163679.tif 000010
【図９】
2019163679.tif 000011
【図１０】
2019163679.tif 000012